(57)【要約】  【課題】  低レベルの電圧を入力する場合、定電圧値と比較し、得られる比較値に基づきモータの最低回転速度値を設定して、ファンモータの適合範囲を可変的にして様々な使用状況のニーズに対応できるモータの起動システムを提供する。  【解決手段】  駆動ユニットと、電圧安定手段を含んでなり、定電圧を発生させて該駆動ユニットに供給する電圧安定ユニットと、該電圧安定ユニット及び該駆動ユニットに電圧を提供する電源供給ユニットとを含み構成され、該駆動ユニットは、該電源供給ユニットの入力電圧が高レベルか低レベルかによって変化する入力信号を発生させる信号発生ユニットと、該電圧安定ユニットの定電圧と該信号発生ユニットの入力信号とを比較して比較信号を発生させる比較ユニットと、該比較ユニットの発生する比較信号に基づいてモータの回転速度を調整する制御ユニットとを含む。【選択図】  図１
2005110402.tif 000002
【特許請求の範囲】
【請求項１】
電圧安定ユニットと、駆動ユニットと、該電圧安定ユニット、及び該駆動ユニットに電圧を提供する電源供給ユニットとを含み構成されるモータ駆動装置システムにおいて、
該電圧安定ユニットは、電圧安定手段を含んでなり、定電圧を発生させて該駆動ユニットに供給し、
該駆動ユニットは、該電源供給ユニットの入力電圧が高レベルか低レベルかによって変化する入力信号を発生させる信号発生ユニットと、該電圧安定ユニットの定電圧と該信号発生ユニットの入力信号とを比較して比較信号を発生させる比較ユニットと、該比較ユニットの発生する比較信号に基づいてモータの回転速度を調整する制御ユニットとを含んでなり、
該電源供給ユニットから入力される電圧が低レベルの場合、入力信号を変化させ、該比較ユニットによって電圧安定ユニットの定電圧と、変化が発生した入力信号とを比較し、比較信号を発生させて該制御ユニットによってモータの回転速度を制御するように構成することを特徴とする、モータ駆動装置システム。
【請求項２】
前記電圧安定ユニットが、電圧安定回路であることを特徴とする、請求項１に記載のモータ駆動装置システム。
【請求項３】
前記電圧安定手段が、ツナーダイオードであることを特徴とする、請求項１に記載のモータ駆動装置システム。
【請求項４】
前記電圧安定手段が、電圧安定器であることを特徴とする、請求項１に記載のモータ駆動装置システム。
【請求項５】
前記信号発生ユニットが、抵抗コンデンサ（ＲＣ）回路であることを特徴とする、請求項１に記載のモータ駆動装置システム。
【請求項６】
前記信号発生ユニットが、発振器であることを特徴とする、請求項１に記載のモータ駆動装置システム。
【請求項７】
前記信号発生ユニットが、コンデンサを含んでなり、入力信号の周波数の高低を設定することを特徴とする、請求項１に記載のモータ駆動装置システム。
【請求項８】
前記モータ駆動装置システムが、更にホール素子を含むことを特徴とする、請求項１に記載のモータ駆動装置システム。
【請求項９】
駆動ユニットと、該駆動ユニットに電圧を提供する電源供給ユニットとを含み構成されるモータ駆動装置システムにおいて、
該駆動ユニットは、定電圧を発生させる電圧安定ユニットと、該電源供給ユニットの入力電圧が高レベルか低レベルかによって変化する入力信号を発生させる信号発生ユニットと、該電圧安定ユニットの定電圧と該信号発生ユニットの入力信号とを比較して比較信号を発生させる比較ユニットと、該比較ユニットの発生する比較信号に基づいてモータの回転速度を調整する制御ユニットとを含んでなり、
該電源供給ユニットから入力される電圧が低レベルの場合、入力信号を変化させ、該比較ユニットによって該電圧安定ユニットの定電圧と、変化が発生した入力信号とを比較し、比較信号を発生させて該制御ユニットによってモータの回転速度を制御するように構成することを特徴とする、モータ駆動装置システム。
【請求項１０】
前記電圧安定ユニットが、電圧安定手段を含むことを特徴とする、請求項９に記載のモータ駆動装置システム。
【請求項１１】
前記電圧安定手段が、ツナーダイオードであることを特徴とする、請求項９に記載のモータ駆動装置システム。
【請求項１２】
前記電圧安定手段が、電圧安定器であることを特徴とする、請求項９に記載のモータ駆動装置システム。
【請求項１３】
前記信号発生ユニットが、抵抗コンデンサ（ＲＣ）回路であることを特徴とする、請求項９に記載のモータ駆動装置システム。
【請求項１４】
前記信号発生ユニットが、発振器であることを特徴とする、請求項９に記載のモータ駆動装置システム。
【請求項１５】
前記信号発生ユニットが、コンデンサを含んでなり、入力信号の周波数の高低を設定することを特徴とする、請求項９に記載のモータ駆動装置システム。
【請求項１６】
前記モータ駆動装置システムが、更にホール素子を含むことを特徴とする、請求項９に記載のモータ駆動装置システム。
【発明の詳細な説明】
【技術分野】
【０００１】
この発明は、モータ駆動装置のシステムに関し、特に低レベルの入力電圧で、モータの回転速度を設定することができるモータ駆動装置システムに関する。
【背景技術】
【０００２】
従来のファンモータ駆動装置のシステムは、ファンモータの駆動素子の特性の関係で高レベルの電圧を入力すると、ファンが全速で回転して放熱効果が高められ、低レベルの電圧を入力すると、ファンは最低速度で回転する。即ち、ファンの回転速度は入力電圧のレベルの高さによるリニア変化で調整する。
【０００３】
しかし、この方法によるモータ駆動装置のシステムは、入力電圧が低レベルの場合、その最低速度の回転が唯一の固定値となり、変更させることができなくなる。このためファンの適用範囲が制限を受け、実際のニーズに適合しなくなる場合がある。
【発明の開示】
【発明が解決しようとする課題】
【０００４】
この発明は、低レベルの電圧を入力する場合、定電圧値と比較し、得られる比較値に基づきモータの最低回転速度値を設定して、ファンモータの適合範囲を可変的にして様々な使用状況のニーズに対応できるモータの起動システムを提供することを課題とする。
【課題を解決するための手段】
【０００５】
そこで本発明者は、従来の技術に見られる欠点に鑑み鋭意研究を重ねた結果、駆動ユニットと、電圧安定手段を含んでなり、定電圧を発生させて該駆動ユニットに供給する電圧安定ユニットと、該電圧安定ユニット、及び該駆動ユニットに電圧を提供する電源供給ユニットとを含み構成され、該駆動ユニットは、該電源供給ユニットの入力電圧が高レベルか低レベルかによって変化する入力信号を発生させる信号発生ユニットと、該電圧安定ユニットの定電圧と該信号発生ユニットの入力信号とを比較して比較信号を発生させる比較ユニットと、該比較ユニットの発生する比較信号に基づいてモータの回転速度を調整する制御ユニットとを含んでなるモータ駆動装置システムの構造によって課題を解決できる点に着眼し、かかる知見に基づき本発明を完成させた。
【０００６】
以下、この発明について具体的に説明する。
請求項１に記載するモータ駆動装置システムは、電圧安定ユニットと、駆動ユニットと、該電圧安定ユニット及び該駆動ユニットに電圧を提供する電源供給ユニットとを含み構成されるモータ駆動装置システムにおいて、
該電圧安定ユニットは、電圧安定手段を含んでなり、定電圧を発生させて該駆動ユニットに供給し、
該駆動ユニットは、該電源供給ユニットの入力電圧が高レベルか低レベルかによって変化する入力信号を発生させる信号発生ユニットと、該電圧安定ユニットの定電圧と該信号発生ユニットの入力信号とを比較して比較信号を発生させる比較ユニットと、該比較ユニットの発生する比較信号に基づいてモータの回転速度を調整する制御ユニットとを含んでなり、
該電源供給ユニットから入力される電圧が低レベルの場合、入力信号を変化させ、該比較ユニットによって電圧安定ユニットの定電圧と、変化が発生した入力信号とを比較し、比較信号を発生させて該制御ユニットによってモータの回転速度を制御するように構成する。
【０００７】
請求項２に記載するモータ駆動装置システムは、請求項１における電圧安定ユニットが、電圧安定回路である。
【０００８】
請求項３に記載するモータ駆動装置システムは、請求項１における電圧安定手段が、ツナーダイオードである。
【０００９】
請求項４に記載するモータ駆動装置システムは、請求項１における電圧安定手段が、電圧安定器である。
【００１０】
請求項５に記載するモータ駆動装置システムは、請求項１における信号発生ユニットが、抵抗コンデンサ（ＲＣ）回路である。
【００１１】
請求項６に記載するモータ駆動装置システムは、請求項１における信号発生ユニットが、発振器である。
【００１２】
請求項７に記載するモータ駆動装置システムは、請求項１における信号発生ユニットが、コンデンサを含んでなり、入力信号の周波数の高低を設定する。
【００１３】
請求項８に記載するモータ駆動装置システムは、請求項１におけるモータ駆動装置システムが、更にホール素子を含む。
【００１４】
請求項９に記載するモータ駆動装置システムは、駆動ユニットと、該駆動ユニットに電圧を提供する電源供給ユニットと、を含み構成されるモータ駆動装置システムにおいて、
該駆動ユニットは、定電圧を発生させる電圧安定ユニットと、該電源供給ユニットの入力電圧が高レベルか低レベルかによって変化する入力信号を発生させる信号発生ユニットと、該電圧安定ユニットの定電圧と該信号発生ユニットの入力信号とを比較して比較信号を発生させる比較ユニットと、該比較ユニットの発生する比較信号に基づいてモータの回転速度を調整する制御ユニットとを含んでなり、
該電源供給ユニットから入力される電圧が低レベルの場合、入力信号を変化させ、該比較ユニットによって該電圧安定ユニットの定電圧と、変化が発生した入力信号とを比較し、比較信号を発生させて該制御ユニットによってモータの回転速度を制御するように構成する。
【００１５】
請求項１０に記載するモータ駆動装置システムは、請求項９における電圧安定ユニットが、電圧安定手段を含む。
【００１６】
請求項１１に記載するモータ駆動装置システムは、請求項９における電圧安定手段が、ツナーダイオードである。
【００１７】
請求項１２に記載するモータ駆動装置システムは、請求項９における電圧安定手段が、電圧安定器である。
【００１８】
請求項１３に記載するモータ駆動装置システムは、請求項９における信号発生ユニットが、抵抗コンデンサ（ＲＣ）回路である。
【００１９】
請求項１４に記載するモータ駆動装置システムは、請求項９における信号発生ユニットが、発振器である。
【００２０】
請求項１５に記載するモータ駆動装置システムは、請求項９における信号発生ユニットが、コンデンサを含んでなり、入力信号の周波数の高低を設定する。
【００２１】
請求項１６に記載するモータ駆動装置システムは、請求項９におけるモータ駆動装置システムが、更にホール素子を含む。
【発明の効果】
【００２２】
本発明のモータの起動システムは、低レベルの電圧を入力する場合、モータの最低回転速度値を調整し、ファンモータの適合範囲を可変的にして様々な使用状況のニーズに対応できるという利点がある。
【発明を実施するための最良の形態】
【００２３】
この発明は、特に低レベルの入力電圧で、モータの回転速度を設定することができるモータ駆動装置システムを提供するものであって、駆動ユニットと、電圧安定手段を含んでなり、定電圧を発生させて該駆動ユニットに供給する電圧安定ユニットと、該電圧安定ユニット及び該駆動ユニットに電圧を提供する電源供給ユニットとを含み構成され、該駆動ユニットは、該電源供給ユニットの入力電圧が高レベルか低レベルかによって変化する入力信号を発生させる信号発生ユニットと、該電圧安定ユニットの定電圧と該信号発生ユニットの入力信号とを比較して比較信号を発生させる比較ユニットと、該比較ユニットの発生する比較信号に基づいてモータの回転速度を調整する制御ユニットとを含み構成する。
かかるモータ駆動装置システムの構造と特徴を詳述するために、具体的な実施例を挙げ、図面を参照にして以下に説明する。
【実施例１】
【００２４】
図１に、この発明によるモータ駆動装置システムのブロック図を開示する。図面によれば、モータ駆動装置システムは、電源供給ユニット（１１）と、電圧安定ユニット（１２）と、駆動ユニット（１０）とを含み構成される。該電源供給ユニット（１１）は電圧安定ユニット（１２）と駆動ユニット（１０）とに入力電圧を提供し、該電圧安定ユニット（１２）は、定電圧を該駆動ユニット（１０）に供給する。
【００２５】
該駆動ユニット（１０）は信号発生ユニット（１０１）と、比較ユニット（１０２）と、制御ユニット（１０３）とを含んでなり、該信号発生ユニット（１０１）は入力信号を発生させる。該入力信号は、電源供給ユニット（１１）の入力電圧が高レベルか低レベルかによって変化する。該比較ユニット（１０２）は、電圧安定ユニット（１２）の定電圧と信号発生ユニット（１０１）の入力信号とを比較して比較信号を発生させる。該制御ユニット（１０３）は比較ユニット（１０２）の発生する比較信号に基づいてモータの回転速度を調整する。
【００２６】
図１、２に開示するように、電源供給ユニット（１１）は、第１コンデンサ（Ｃ１）を介して駆動ユニット（１０）の電源入力ピン（Ｖｃｃ）に電気的に接続する。該電圧安定ユニット（１２）は第１抵抗（１２１）と、第２抵抗（１２２）と、第３抵抗（１２３）と、及び電圧安定手段（１２４）とを含んでなる電圧安定回路であって、該電圧安定手段（１２４）はツナーダイオードである。該電圧安定ユニット（１２）は電源供給ユニット（１１）に電気的に接続し、さらに駆動ユニット（１０）のＶＴＨピンに電気的に接続する。ホール素子（１３）は駆動ユニット（１０）のＨＢ、ＩＮ−、ＩＮ＋ピンに電気的に接続する。ＨＢピンがホールバイアスを発生させて、ホール素子（１３）に出力し、起動させる。また、ホール反応電圧を発生させてＩＮ−、ＩＮ＋ピンに出力する。第２コンデンサ（Ｃ２）は、駆動ユニット（１０）のＣＰＷＭピンに電気的に接続し、信号発生ユニット（１０１）の入力信号の周波数の高低を設定する。モータ（Ｍ１）は駆動ユニット（１０）の第１出力端（ＯＵＴ１）と第２出力端（ＯＵＴ２）に電気的に接続する。
【００２７】
電源供給ユニット（１１）は入力電圧を電圧安定ユニット（１２）と、駆動ユニット（１０）と、及び駆動ユニット（１０）に内設される信号発生ユニット（１０１）と、比較ユニット（１０２）と、制御ユニット（１０３）とに供給する。供給される入力電圧は、電圧安定ユニット（１２）の第１抵抗（１２１）によって電圧が下がり、さらに電圧安定手段（１２４）の第２抵抗（１２２）と、第３抵抗（１２３）とによって分圧され、定電圧を駆動ユニット（１０）のＶＴＨピンに出力する。
【００２８】
入力電圧が高レベルの場合、モータ（Ｍ１）は全速で回転する。但し、低レベルの電圧が入力された場合、入力信号に変化が発生し、比較ユニット（１０２）がＶＴＨピンの定電圧と、該変化が発生した入力信号とを比較して比較信号を発生させ、該比較信号を制御ユニット（１０３）に出力する。さらに制御ユニット（１０３）が第１出力ピン（ＯＵＴ１）と、第２出力ピン（ＯＵＴ２）によって制御信号をモータ（Ｍ1）に発信して回転速度が最低になるよう制御する。
【００２９】
上述の電圧安定手段（１２４）は電圧安定器（図示しない）であってもよく、また信号発生ユニット（１０１）は抵抗コンデンサ（ＲＣ）回路か、或いは発振器（図示しない）であっても同様の効果が得られる。
【実施例２】
【００３０】
図３に、この発明の第２の実施例を開示する。図面によれば、第２の実施例は、電源供給ユニット（２１）と、駆動ユニット（２０）とを含んでなり、該電源供給ユニット（２１）は入力電圧を駆動ユニット（２０）に提供する。該駆動ユニット（２０）は電圧安定ユニット（２０４）と、信号発生ユニット（２０１）と、比較ユニット（２０２）と、制御ユニット（２０３）とを含んでなる。該電圧安定ユニット（２０４）は電圧を安定させる電圧安定手段（２０４３）を含んでなり、該信号発生ユニット（２０１）は入力信号を発生させる。該入力信号は電源供給ユニット（２１）の入力電圧のレベルの高低によって変化が発生する。該比較ユニット（２０２）は電圧安定ユニット（２０４）の定電圧と信号発生ユニット（２０１）の入力信号とを比較して、比較信号を発生させる。該制御ユニット（２０３）は該比較ユニット（２０２）から発生する比較信号に応じてモータの回転速度を制御する。
【００３１】
図３、４に開示するように、電源供給ユニット（２１）は、第１コンデンサ（Ｃ２１）を介して駆動ユニット（２０）の電源入力ピン（Ｖｃｃ）に電気的に接続する。該電圧安定手段（２０４３）は６ＶＲＥＧピンから第１抵抗（２０４１）と、第２抵抗（２０４２）とに電気的に接続し、さらにそれぞれの駆動ユニット（２０）のＶＴＨピンに電気的に接続する。該電圧安定手段（２０４３）はツナーダイオードである。ホール素子（２３）は駆動ユニット（２０）のＨＢ、ＩＮ−、ＩＮ＋ピンに電気的に接続する。ＨＢピンがホールバイアスを発生させて、ホール素子（２３）に出力し、起動させる。また、ホール反応電圧を発生させてＩＮ−、ＩＮ＋ピンに出力する。第２コンデンサ（Ｃ２２）は、駆動ユニット（２０）のＣＰＷＭピンに電気的に接続し、信号発生ユニット（２０１）の入力信号の周波数の高低を設定する。モータ（Ｍ２）は駆動ユニット（２０）の第１出力端（ＯＵＴ１）と第２出力端（ＯＵＴ２）に電気的に接続する。
【００３２】
電源供給ユニット（２１）は入力電圧を駆動ユニット（２０）と、及び駆動ユニット（２０）に内設される電圧安定ユニット（２０４）と、信号発生ユニット（２０１）と、比較ユニット（２０２）と、制御ユニット（２０３）とに供給する。供給される入力電圧は、電圧安定ユニット（２０４）の電圧安定手段（２０４３）によって電圧が下がり、６ＶＲＥＧピンに出力され、さらに第１抵抗（２０４１）と、第２抵抗（２０４２）とによって分圧され、定電圧を駆動ユニット（２０）のＶＴＨピンに出力する。
【００３３】
入力電圧が高レベルの場合、モータ（Ｍ２）は全速で回転する。但し、低レベルの電圧が入力された場合、入力信号に変化が発生し、比較ユニット（２０２）がＶＴＨピンの定電圧と、該変化が発生した入力信号とを比較して比較信号を発生させ、該比較信号を制御ユニット（２０３）に出力する。さらに制御ユニット（２０３）が第１出力ピン（ＯＵＴ１）と、第２出力ピン（ＯＵＴ２）とによって制御信号をモータ（Ｍ２）に発信して回転速度が最低になるよう制御する。
【００３４】
上述の電圧安定ユニット（２０４）は電圧安定器（図示しない）であってもよく、また信号発生ユニット（２０１）は抵抗コンデンサ（ＲＣ）回路か、或いは発振器（図示しない）であっても同様の効果が得られる。
【００３５】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００３６】
【図１】この発明によるモータ駆動装置システムの構造を示したブロック図である。（実施例１）
【図２】図１に開示するモータ駆動装置システムの回路図である。（実施例１）
【図３】第２の実施例によるモータ駆動装置システムの構造を示したブロック図である。（実施例２）
【図４】図３に開示するモータ駆動装置システムの回路図である。（実施例２）
【符号の説明】
【００３７】
１０  駆動ユニット
１０１  信号発生ユニット
１０２  比較ユニット
１０３  制御ユニット
１１  電源供給ユニット
１２  電圧安定ユニット
１２１  第１抵抗
１２２  第２抵抗
１２３  第３抵抗
１２４  電圧安定手段
１３  ホール素子
２０  駆動ユニット
２０１  信号発生ユニット
２０２  比較ユニット
２０３  制御ユニット
２０４  電圧安定ユニット
２１  電源供給ユニット
２０４１  第１抵抗
２０４２  第２抵抗
２０４３  電圧安定手段
２３  ホール素子
Ｃ１  第１コンデンサ
Ｃ２  第２コンデンサ
Ｃ２１  第１コンデンサ
Ｃ２２  第２コンデンサ
Ｍ１  モータ
Ｍ２  モータ
【図１】
2005110402.tif 000003
【図２】
2005110402.tif 000004
【図３】
2005110402.tif 000005
【図４】
2005110402.tif 000006